(57)【要約】【課題】  古紙結束用の紙紐に目印を付け、この目印によって買取り業者に持込まれる古紙がどこの集積所で回収されたものかとか、正規ルートで持込まれたものであるかを判別することができる古紙結束用の紙紐を提供すること。【解決手段】  ロール状に巻取られたテープ状原紙Ａを撚って形成する古紙結束用の紙紐において、巻取られている原紙ロールＡに、原紙Ａの色と異なる適宜の色又はマークｍを着けてから紙紐Ｂに撚ることにより、撚られた紙紐Ｂの長さ方向に適宜ピッチで前記色又はマークｍを露出させ、露出した色やマークｍによって古紙の回収地域や集積場所などを特定して判別するための目印ｍにしたこと。【選択図】図１
0003152688.tif 000002
【実用新案登録請求の範囲】
【請求項１】
ロール状に巻取られたテープ状原紙を撚って形成する古紙結束用の紙紐において、巻取られている原紙ロールに、原紙の色と異なる適宜の色又はマークを着けてから紙紐に撚ることにより、撚られた紙紐の長さ方向に適宜ピッチで前記色又はマークを露出させ、露出した色やマークによって古紙の回収地域や集積場所などを特定して判別するための目印にしたことを特徴とする古新聞などの古紙結束用の紙紐。
【請求項２】
ロール状に巻取られたテープ状原紙は、古紙パルプを含有するか又は一般の木材植物を原料とするパルプで抄造された紙である請求項１の古新聞などの古紙結束用の紙紐。
【請求項３】
原紙のロールに着ける色又はマークは、ロール状に巻取った紙の表面又は裏面、若しくは、ロール状に巻取った紙のロール側面に着けた請求項１又は２の古新聞などの古紙結束用の紙紐。
【請求項４】
紙紐に着けられた色又はマークは、各回収地域又は集積場所ごとに別の色又はマークにすることにより、各色又はマークによって回収地域又は集積場所を特定して判別するための目印にした請求項１又は２の古新聞などの古紙結束用の紙紐。
【考案の詳細な説明】
【技術分野】
【０００１】
本考案は、主として古新聞，古雑誌，段ボールなど、再生紙原料として利用される古紙を結束するための紙紐に関し、より具体的には、本考案紙紐で結束した古紙は、当該古紙の出所（回収地域又は集積場所）や当該古紙の流通ルート（回収ルート）など、一定の出所や流通ルートなどを特定し判別するための目印を備えた古紙結束用の紙紐に関する。
【背景技術】
【０００２】
一般に、古新聞などの再生原料になる古紙は、例えば、町内単位などで特定場所に集め、契約した業者等（以下、正規引取り業者という）に引取らせる形態が多い。しかし乍ら、個々の住民などが集積場所に出した結束古紙を、正規業者でない者（以下、非正規者）が勝手に持去る現象が後を断たない。
【０００３】
古新聞などの再生紙原料として利用できる古紙は、市場で取引対象となる経済財であるため、非正規者の勝手な持ち去りは、窃盗に該当するが有効な防止手段がなく、いわば野放し状態であるのが現状である。
【０００４】
上記のような現状を打開するため、地方自冶体によっては、集積場所に置かれた古紙の勝手な持ち去りに罰則を課す条例を定め、同様の内容の条例が全国の自冶体に広がりつつある（因みに、最高裁は2008年７月にこの条例の設置を許容する決定をしている）。しかも、自冶体の中には古紙などの勝手な持去り者に条例違反の罰則を課すにとどまらず、持去り品（古紙など）を譲り受けた者（買取り業者や古紙問屋など）も罰する条例を制定する自冶体も出現するに至っている。
【０００５】
すなわち、問題となるのは、古紙などを買取った業者、つまり、問屋行為をした者が、譲り受けた（買取った）古紙を勝手な持ち去り品と知っていたか否かであるが、知って譲り受ければ、盗品と知って譲り受けた（故買に当る）こととなるので条例違反の罰則が適用可能である。しかし、買取り業者は、持込まれる古紙が勝手な持ち去り品か正規ルートなどを通した正規品かは知る由も無い。
【０００６】
因みに、古紙結束用の紙紐としては、本考案の考案者らが特許文献１〜４によって、種々の形態の古紙結束に用いる紙紐を提案しているが、これらの紙紐は、古紙結束のための強度，結束時の紙紐取扱い上の便宜，結束した古紙の流通上の便宜などを図ることを目的とした考案であって、上記のような問題に対応するための考案ではなかった。
【０００７】
また、紐全体を赤や青など適宜の色で染めた着色紙紐も昔から市販されているが、かかる全体を着色した紙紐は、一般に使用されているために古紙結束用の紙紐として特色がなく、特に、結束した古紙の集積場所や回収ルートを判別するための目印としての機能は果せない。
【０００８】
回収用古紙の結束に紙紐が使用される理由は、以下の通りである。
まず、紙紐は、再生可能であるため、古紙を結束したままその古紙と分離することなく再生処理に回せる。因みに、ポリエチレンなどの合成樹脂製紐（以下、ポリ紐という）では、原料が石油など化石原料であるため紙には再生できない。また、仮にもポリ紐が古紙に混入すると、製紙工程や印刷工程でのトラブルの原因となり、工程の停止や不良品を発生してしまい大きな無駄が生じる。
さらに、古紙の回収に紙袋を使用している例もあるが、紙袋は紙紐に比べ４〜５倍もの紙原料を使うという不利があり、また、紙袋の中に古紙以外のもの、例えば金属片やプラスチック材が入っていても外からは判りにくく、後でトラブルになるという問題もある。
上記のような各点から、古紙の回収には紙紐を使用することが望ましい訳である。
【先行技術文献】
【特許文献】
【０００９】
【特許文献１】特開２０００−７０１４号公報
【特許文献２】実用新案登録第３０７４０６２号公報
【特許文献３】実用新案登録第３１０３８８０号公報
【特許文献２】実用新案登録第３１３０９８９号公報
【考案の概要】
【考案が解決しようとする課題】
【００１０】
そこで本考案では、上記のような古紙の集積や回収段階における第三者の勝手な持ち去り、並びに、その持ち去り品を知ってか知らずか買取る買取り業者（古紙問屋）が後と断たない現状を打破するため、古紙結束用の紙紐に目印を付け、この目印によって買取り業者に持込まれる古紙がどこの回収地域又は集積場所で回収されたものかとか、正規ルートで持込まれたものであるかを特定して判別することができる古紙結束用の紙紐を提供することを、課題とする。
【課題を解決するための手段】
【００１１】
上記課題を解決することを目的としてなされた本考案紙紐の構成は、ロール状に巻取られたテープ状原紙を撚って形成する古紙結束用の紙紐において巻取られている原紙ロールに、原紙の色と異なる適宜の色又はマーク（文字，図形，記号など）を付けてから紙紐に撚り、撚られた紙紐の長さ方向に適宜ピッチで前記色やマークを露出させ、露出した色やマークによって古紙の回収地域や集積場所などを特定して判別するための目印としたことを特徴とするものである。
【００１２】
本考案では、ロール状に巻取られたテープ状原紙は、古紙パルプ100％を含有する再生紙が望ましいが、一般の木材，植物を原料とするパルプで抄造された紙であってもよい。また、原紙のロールに着ける色又はマークは、ロール状に巻取った紙の表面又は裏面、若しくは、ロール状に巻取った紙のロール側面の中心から適宜幅を持つ放射帯状又はロール側面全面に着けることができる。
【００１３】
本考案紙紐の例の一つとしては、新聞古紙再生パルプと他の再生パルプとの合計配合率が50％以上の再生紙を用い、新聞用紙と同等乃至それ以上の白色度と強度を有し、オフセット印刷新聞用紙と同等のサイズ度を有する再生紙を原紙として撚り上げたものがある。
【００１４】
また、紙紐にランダムに着ける色又はマークは各紙紐ごと別の色にするので、複数の回収地域や集積場所（以下、単に「回収ルート」ということもある）を、ランダムに着けられた色やマークの違いによって特定し判別することができる。因みに、全体が着色されたカラー紐は、紙紐に限られずテープなども市中に出回っているので、そのような全体着色された紐やテープでは、本考案が意図する判別用の目印機能は果せない。
【考案の効果】
【００１５】
本考案では、ロール状に巻取られたテープ状原紙を撚って形成する古紙結束用の紙紐において巻取られている原紙ロールに、原紙の色と異なる適宜の色又はマークを付けてから紙紐に撚り、撚られた紙紐の長さ方向に適宜ピッチで前記色やマークを露出させ、露出する色やマークによって古紙の回収地域や集積場所など回収ルートを特定し判別する目印としたから、本考案紙紐により結束した古紙は、その目印の色によって回収ルートが正当かあるいは買取り業者に持込む者が正当であることを判別できる。従って、回収ルートに関係のない第三者が勝手に行った持ち去り品を買い取り業者に持込んでも、その者が回収ルートの正規の関係者でなければ、買取り業者は持ち去り品であることを一目して判断することができる。
【図面の簡単な説明】
【００１６】
【図１】本考案紙紐の製造時における原紙ロールに対する着色態様とその原紙を撚って紙紐に巻取る例の要部を模式的に示した斜視図。
【図２】本考案紙紐の原紙ロールに対する色又はマークの形成態様を模式的に示した斜視図。
【考案を実施するための形態】
【実施例１】
【００１７】
(イ) 一例として、
新聞古紙脱墨再生パルプ（ＤＩＰ）              ４０％
晒クラフト系古紙再生パルプ（再生紙ＫＰ）      ３０％
針葉樹・晒クラフトパイプ（ＮＢＫＰ）          ３０％
を配合し、
(ロ) 通常時は、抄紙機により、米坪量約38g/m２の紙紐用原紙を、サイズプレスにより表面サイズを施して抄造し、
(ハ) 抄造した原紙を、ボビンワインダーにより60m幅程度のロール状（又は、リボン状という）の巻取り原紙Ａに仕上げ、
(ニ) 上記のリボン状巻取り紙Ａを製紐機Ｗにかけ、太さ2.5mm前後の紙紐Ｂに撚り上げてから約100mの紐Ｂをロール状紙紐Ｃに巻上げた。図の紙紐Ｂが本考案紙紐の例である。
(ホ) 本考案では、ロール状巻取り紙Ａの段階において、一例としてエア・ピストン型のフェルトマーカーをタイマー作動させて、例えば濃度0.01％のメチルバイオレット溶液を適宜の間隔で噴射し、前記リボン巻取り紙Ａに目印ｍが適当なピッチとなるように着けた。もちろん、手描きによる色の塗布であってもよい。図１の例ではロール側面に90度ピッチで目印ｍが着色されている。
【００１８】
なお、目印ｍの色は上記のバイオレットに限られず、レッド，イエロー，グリーンなど、原紙Ａの色と異なる色であれば、上記例の色に限定されるものではない。また、上記例は、目印ｍの色を製紐時に着けたが、本考案では製紐された後の紙Ｃに、それをロール状に巻取る前に適宜の色を筆などによって適宜ピッチやランダムなピッチで着色するようにしてもよい。
【実施例２】
【００１９】
目印ｍ（この実施例２では、目印ｍは、着けた色のほかに、文字，図形，記号などを含む。以下、同じ）を付けるロール状巻取り原紙Ａの作り方には、図２に模式的に示す態様もあるので、以下に説明する。
図１の例では原紙ロールＡの側面に目印ｍを着色したが、図２の例では、原紙ロールＡの表面に目印ｍを付けるようにした。すなわち、図２に示すように、巻取り原紙Ａの幅の数個分（図２の例では５個分）の幅をするロール状に巻取った巻取り原反Ｘに対し、目印用のインキIn（油性インキが望ましいが、これに限られるものではない）を、図２の例では90度ピッチで配設した印刷ロールＹを当てがって、原反Ｘのロールを解く方向に回転させると、印刷ロールＹの上の目印用インキIｎが、原反Ｘの表面に等ピッチで目印ｍとして転写される。
【００２０】
そこで、転写された目印ｍが形成されつつ引出される原反ＸをスリッターＺにかけ分断されてリボン状巻取り原紙Ａの幅に整えると、紙の表面に目印ｍを有する、図２の例では５個のリボン状巻取り原紙Ａを、同一工程の中で製造することが可能になるので、本考案紙紐の製造の合理化、製造コスト削減に寄与すること大である。各巻取り原紙Ａを製紐機Ｗにかけて本考案紙紐Ｂを形成する点は、上記の実施例１と同じである。上記の印刷ロールＹは、スリッターＺにかけられたロールの位置に配置することができる。なお、印刷ロールＹをどちらに配置するかは任意である。
【００２１】
因みに、上記のようにして製造した紙紐用のリボン状原紙Ａの引張り強さは3.6kgfであって、この原紙ａを撚り上げた本考案紙紐Ｂは、新聞古紙7.5kg（一般家庭の約１ヶ月分）を結束するのに充分な強度を有していることが確認されている。
【００２２】
このようにして製造される本考案紙紐Ｂは、その長さ方向に適宜間隔で、製撚時に着けた目印ｍとなる色又はマークを有しているので、この本考案紙紐Ｂで結束された古紙新聞などの古紙は、その目印ｍの色又はマークが着いた結束紙紐を使用して、新聞古紙の結束している回収地域や集積場所を示すことになる。この結果、当該回収地域や集積場所に関係のない者が、前記目印ｍの着いた紙紐で結束された新聞古紙を無断で持去り、それを買取業者や問屋などに持込んでも、当該結束された古紙は正規ルート品でないことを、買取り業者や古紙問屋は一目して判別することができる。
【００２３】
特に、目印ｍとして、文字，図形，記号、或は、それらを組合せたマークを、印刷ロールＹで着けたものは、目印ｍ近傍の撚られた紙紐の撚りを解くことにより、着けられたマークである文字，図形，などが判読可能になるので、回収地域や集積場所のマークを予め決めておけば、後からどの回収地域又は集積場所で回収した結束古紙かを、明確に特定して判定して判別することができる。
【００２４】
正規ルート品でない古紙、つまり持ち去り品であることが判っていながら、その古紙を引取れば（買取れば）、いわば盗品の故買にあたることになり罰則の適用があるので、かかる無断持ち去り品は買取り業者へ持ち込めなくなる。従って、本考案紙紐を用いれば、その紙紐により結束されて集積されている新聞古紙の無関係者による無断持ち去りを防止できると共に、買取り業者や古紙問屋もそのような無断持ち去り品を引取ることがなくなるという効果が得られる。
【産業上の利用可能性】
【００２５】
本考案は以上の通りであって、ロール状に巻取られたテープ状原紙を撚って形成する古紙結束用の紙紐において巻取られている原紙ロールに、原紙の色と異なる適宜の色又はマークを付けてから紙紐に撚り、撚られた紙紐の長さ方向に適宜ピッチで前記色又はマークを見えるようにし、見えた色やマークによって古紙の回収地域や集積場所などを特定して判別することができる目印を備えた新聞古紙の結束紙紐にしたので、関係のない者による無断持ち去りを防止できると共に、買取り業者に無断持ち去り品を引取らせない効果があるから、新聞古紙の回収ルートが所期の目的通り機能することとなり、実生活上乃至社会生活上にきわめて有用である。因みに、紙紐全体が着色された紐は、一般に使用されているので、本考案紙紐のような目印としての特色（紙紐上にランダムに着色がある点）がない。
【符号の説明】
【００２６】
Ａ    ロール状（又は、リボン状）巻取り原紙
ｍ    ランダムに付けた目印（色又マーク）
Ｂ    本考案紙紐
Ｃ    ロール状に巻取った本考案紙紐
Ｘ    ロール状原反
Ｙ    印刷ロール
Ｚ    スリッター
In    インキ
【図１】
0003152688.tif 000003
【図２】
0003152688.tif 000004